(57)【要約】【課題】胃等を委縮させることなく、胃等の内部の気体を浄化できる空気浄化機を提供する。【解決手段】生体内において使用される空気浄化機１０であって、生体内に配置可能な大きさに形成された本体部１１と、本体部１１に設けられた空気を浄化する浄化部１２と、を備えており、浄化部１２が、生体内の気体を透過し気体に含まれる液体または固体を捕捉するするフィルタ部１３と、フィルタ部１３を通過する気流を発生させる気流形成部１４と、を有している。胃壁などの生体の組織を電気メスによって切除した際に煙等が発生しても、気流形成部１４によってその煙を浄化部１２のフィルタ部１３を通過させれば、煙に含まれる粒子などを捕捉でき、浄化された気体を生体内に戻すことができる。これにより、内視鏡Ｅなどの視野を確保することができる。【選択図】図１
2020000474.tif 000002
【特許請求の範囲】
【請求項１】
生体内において使用される空気浄化機あって、
生体内に配置可能な大きさに形成された本体部と、
該本体部に設けられた空気を浄化する浄化部と、を備えており、
該浄化部が、
生体内の気体を透過し気体に含まれる液体または固体を捕捉するするフィルタ部と、
該フィルタ部を通過する気流を発生させる気流形成部と、を有している
ことを特徴とする空気浄化機。
【請求項２】
前記フィルタ部が、
シート状のフィルタおよび／または吸着性を有する粒状体によって形成されている
ことを特徴とする請求項１記載の空気浄化機。
【請求項３】
前記本体部が、
該本体部を貫通する貫通孔を備えており、
該貫通孔内に、該貫通孔の軸方向に沿って並ぶように前記フィルタ部と前記気流形成部とが配置されている
ことを特徴とする請求項１または２記載の空気浄化機。
【請求項４】
前記気流形成部が、
回転軸と、該回転軸に設けられた羽根部材とを有する気流発生部と、
前記回転軸を回転させる駆動機構と、を備えている
ことを特徴とする請求項１、２または３記載の空気浄化機。
【請求項５】
前記気流形成部が、
複数の前記気流発生部を備えており、
該複数の気流発生部が一つの駆動機構によって駆動される
ことを特徴とする請求項１、２、３または４記載の空気浄化機。
【請求項６】
前記本体部が、
内視鏡を挿通できる配置孔を備えており、
該配置孔に配置された内視鏡を着脱可能に固定する固定部を備えている
ことを特徴とする請求項１、２、３、４または５記載の空気浄化機。
【発明の詳細な説明】
【技術分野】
【０００１】
本発明は、生体内における治療や手術の際に使用される空気浄化機に関する。
【背景技術】
【０００２】
いわゆる胃カメラ等の軟性内視鏡は、消化管腔等内に挿入して消化管腔等の内部の検査に使用されている。近年では、検査だけでなく消化管腔等内における様々な処置も軟性内視鏡によって行われている。例えば、消化管内のポリープを切除する処置や、食道癌、胃癌、大腸癌などを切除する内視鏡的粘膜下層剥離術(ＥＳＤ)も実施されている。
【０００３】
かかる内視鏡による処置では、スネアや電気メス等を使用してポリープ等の切除や粘膜・粘膜下層の切開などが行われる。この組織の切除や切開は、組織を加熱することによって組織を爆発・蒸散させて行われる。そうすると、爆発・蒸散した組織は、内視鏡の先端部に設けられているレンズに付着する場合がある。また、内視鏡による処置は閉鎖した環境で行われるため、タンパク質や脂肪組織の炭化により発生した焼灼煙が術野を真っ白にする。この焼灼煙は消化管内における内視鏡の視野を著しく低下させる要因となっており、焼灼煙が発生すると、良好な術野での内視鏡治療・手術が困難になる。とくに、電子メスなど内壁を切除する際には、大量の焼灼煙が発生するため、円滑な治療が困難となる。そして、かかる不良な術野において内視鏡用メス等で切開等の処置を行うと、合併症である穿孔や多量出血の原因となる場合がある。
【０００４】
組織等の付着による内視鏡の視野の低下を防止する方法として、例えば、特許文献１に示すような技術がある。特許文献１は硬性内視鏡に関するものであるが、硬性内視鏡の外周面の周方向における一部を覆う外側カバー部分と、外側カバー部分の内面に設けられ、硬性内視鏡の観察窓部に供給される洗浄用流体の流路を区画する内側カバー部分と、を備えたカバーが開示されている。このカバーでは、洗浄用流体の流路に洗浄用流体を供給すれば、洗浄用流体を硬性内視鏡の観察窓部に供給することができるので、観察窓部の洗浄を行うことができる。つまり、爆発・蒸散した組織が硬性内視鏡の観察窓部に付着しても、付着した組織を洗浄用流体で洗い流すことができるので、観察窓部の視野が低下することを防止できる。
【先行技術文献】
【特許文献】
【０００５】
【特許文献１】特許第６２４２５６０号公報
【発明の概要】
【発明が解決しようとする課題】
【０００６】
しかし、特許文献１の技術は、あくまでも硬性内視鏡の観察窓部の汚れを除去するものであり、焼灼煙が発生した場合に、内視鏡の視野を回復することはできない。
【０００７】
生体内の気体を内視鏡の吸引機能によって吸引すれば、生体内が煙によって満たされた状態を解消することはできる。しかし、術中に換気を行うためには、一度電気メスなどを内視鏡鉗子口から抜去しなければならない。すると、施術を継続するには抜去した電気メス等を再度鉗子口から挿入する作業が必要になるため、施術の作業工数が増加する。また、胃等の消化管の場合であれば気体を吸引することによって消化管が委縮して術野が狭くなってしまうので、術野を確保するために、再度消化管を膨張させる作業も必要となる。
【０００８】
本発明は上記事情に鑑み、胃等を委縮させることなく、胃等の内部の気体を浄化できる空気浄化機を提供することを目的とする。
【課題を解決するための手段】
【０００９】
第１発明の空気浄化機は、生体内において使用される空気浄化機あって、生体内に配置可能な大きさに形成された本体部と、該本体部に設けられた空気を浄化する浄化部と、を備えており、該浄化部が、生体内の気体を透過し気体に含まれる液体または固体を捕捉するするフィルタ部と、該フィルタ部を通過する気流を発生させる気流形成部と、を有していることを特徴とする。
第２発明の空気浄化機は、第１発明において、前記フィルタ部が、シート状のフィルタおよび／または吸着性を有する粒状体によって形成されていることを特徴とする。
第３発明の空気浄化機は、第１または第２発明において、前記本体部が、該本体部を貫通する貫通孔を備えており、該貫通孔内に、該貫通孔の軸方向に沿って並ぶように前記フィルタ部と前記気流形成部とが配置されていることを特徴とする。
第４発明の空気浄化機は、第１、第２または第３発明において、前記気流形成部が、回転軸と、該回転軸に設けられた羽根部材とを有する気流発生部と、前記回転軸を回転させる駆動機構と、を備えていることを特徴とする。
第５発明の空気浄化機は、第１、第２、第３または第４発明において、前記気流形成部が、複数の前記気流発生部を備えており、該複数の前記気流発生部が一つの駆動機構によって駆動されることを特徴とする。
第６発明の空気浄化機は、第１、第２、第３、第４または第５発明において、前記本体部が、内視鏡を挿通できる配置孔を備えており、該配置孔に配置された内視鏡を着脱可能に固定する固定部を備えていることを特徴とする。
【発明の効果】
【００１０】
第１発明によれば、胃壁などの生体の組織を電気メス等によって切除した際に煙等が発生しても、気流形成部によってその煙を浄化部のフィルタ部を通過させれば、煙に含まれる組織などを捕捉でき、浄化された気体を生体内に戻すことができる。そうすると、内視鏡などの視野を確保することができるので、安全な切開・剥離・止血などの処置が可能となるし、術時間が短縮され医療費の削減も可能となる。
第２、第３発明によれば、効果的に気体を浄化することができる。
第４、第５発明によれば、気流を効果的に発生させることができる。
第６発明によれば、本体部を生体内に配置する作業を簡単に行うことができる。
【図面の簡単な説明】
【００１１】
【図１】本実施形態の空気浄化機１０の概略説明図であって、（Ａ）は斜視図であり、（Ｂ）は（Ａ）のＢ−Ｂ線断面図である。
【図２】（Ａ）は図１（Ｂ）のIIA-IIA線断面図であり、（Ｂ）は図１（Ｂ）のIIB-IIB線断面図であり、（Ｃ）は図１（Ｂ）のIIC-IIC線断面図であり、（Ｄ）は他の空気浄化機１０の本体部１１の概略断面図である。
【図３】本実施形態の空気浄化機１０を胃ＳＴに固定する作業の概略説明図である。
【図４】他の実施形態の空気浄化機１０の概略説明図であって、（Ａ）は斜視図であり、（Ｂ）は（Ａ）のＢ−Ｂ線断面図である。
【発明を実施するための形態】
【００１２】
本発明の空気浄化機は、消化管腔内や腹腔内等のような生体内において、生体内における空気を浄化するために使用されるものである。
【００１３】
本発明の空気浄化機は、軟性内視鏡によって消化管腔や腹腔など（以下、消化管腔等という場合がある）の体腔内に供給されて消化管腔等内から軟性内視鏡による処置を行う場合に適しているが、硬性内視鏡である腹腔鏡による手術でも使用することができる。例えば、腹腔鏡のラパロスコープを挿通するために形成された孔から軟性内視鏡等を使用して本発明の空気浄化機を挿入すれば、腹腔鏡による手術においても、腹腔内に本発明の空気浄化機を供給することができる。
【００１４】
以下では、代表として、本発明の空気浄化機を胃内の空気浄化に使用した場合を説明する。
なお、空気浄化機の各部の構造を分かりやすくするために、各図面における各部の相対的なサイズなどは必ずしも実際の空気浄化機の各部のサイズとは対応させていない。
【００１５】
＜本実施形態の空気浄化機１０＞
図１に示すように、本実施形態の空気浄化機１０は、胃等の内部の気体を浄化するための浄化部１２を備えた本体部１１を備えている。この本体部１１に設けられている浄化部１２は、気体を吸引して気体に含まれる粒子などを捕捉する機能を有するものである。この本体部１１には、内視鏡ＥのシャフトＥＳを挿入抜去可能な大きさの配置孔１１ｈが形成されている。そして、本体部１１の配置孔１１ｈ内には、配置孔１１ｈ内に内視鏡ＥのシャフトＥＳを挿入した状態で内視鏡ＥのシャフトＥＳを本体部１１に固定するための固定部２０が設けられている。
【００１６】
このため、本体部１１の配置孔１１ｈ内に内視鏡ＥのシャフトＥＳを挿入して固定することによって、本実施形態の空気浄化機１０は消化管を通して胃内に挿入することができる。
【００１７】
また、胃内に挿入された状態で固定部２０と内視鏡ＥのシャフトＥＳとを固定を解放すれば、内視鏡ＥのシャフトＥＳを本体部１１の配置孔１１ｈから抜去できるので、本体部１１を胃内に留置することができる。
【００１８】
そして、本体部１１を胃内に留置すれば、本体部１１の浄化部１２によって胃内の気体に含まれる組織の粒子などを捕捉することができる。つまり、胃壁などの組織を電気メス等によって切除した際に発生する煙、つまり、焼けて飛び散った組織等を気体とともに本体部１１の浄化部１２が吸引し捕捉する。すると、胃内に発生した煙などを迅速に除去できるから、胃内における内視鏡Ｅの視界を確保することができる。
【００１９】
なお、本体部１１に、本体部１１を生体に固定する器具設置部２５を設ければ、本体部１１を胃内部の所定の場所に固定しておくことができる。そうすると、本体部１１を内視鏡ＥのシャフトＥＳから外しても、本体部１１を見失うことが無い。
【００２０】
かかる器具設置部２５の構成はとくに限定されず、本体部１１を胃等の内壁に固定しておくことができるものであればよい。例えば、本体部１１に連結された輪状の紐を器具設置部２５とすることできる（図１参照）。この場合、この器具設置部２５にクリップ等を係合した状態でクリップ等を胃壁等に固定すれば、空気浄化機１０を胃壁等に固定することができる（図３参照）。
【００２１】
なお、図１では、器具設置部２５が２か所設けられているが、器具設置部２５を設ける数はとくに限定されない。例えば、１カ所でもよいし３か所以上設けてもよい。
【００２２】
＜空気浄化機１０＞
以下、本実施形態の空気浄化機１０の本体部１１および浄化部１２について詳細に説明する。
【００２３】
＜本体部１１について＞
図１に示すように、本体部１１は、略筒状の部材であり、生体内に配置可能な大きさに形成されたものである。例えば、消化管を通して胃内に留置する場合であれば、直径（外径）が１８〜２５ｍｍ程度であり、長さが３０〜５０ｍｍ程度に形成される。なお、この本体部１１を形成する素材はとくに限定されないが、例えば、塩ビやプラスチック、シリコーン、ビニール等を使用することができる。
【００２４】
この本体部１１には、その軸方向を貫通する配置孔１１ｈが形成されている。この配置孔１１ｈは、内視鏡ＥのシャフトＥＳが配置される空間である。つまり、配置孔１１ｈの一端（図１では右端）から内視鏡ＥのシャフトＥＳを挿入すれば、内視鏡ＥのシャフトＥＳの周囲に本体部１１が配置された状態とすることができる。なお、この配置孔１１ｈの内径は、内視鏡ＥのシャフトＥＳの径よりも若干大きくなっていればよい。一般的な内視鏡Ｅでは、シャフトＥＳの径は１０ｍｍ程度であり、５〜１５ｍｍ程度のものもある。したがって、配置孔１１ｈの内径は、５〜１５ｍｍ程度であって空気浄化機１０を固定する内視鏡ＥのシャフトＳの径よりも若干大きければよい。
【００２５】
この本体部１１には、その両端間を貫通する３つの貫通孔１１ｇが形成されている。この３つの貫通孔１１ｇは、浄化部１２が設置される空間である。図１では、３つの貫通孔１１ｇは、いずれも本体部１１の両端間を貫通するように、つまり、その軸方向が配置孔１１ｈの軸方向（言い換えれば本体部１１の軸方向）と平行となるように設けられているが、貫通孔１１ｇはどのように形成してもよい。例えは、貫通孔１１ｇの軸方向が本体部１１の軸方向に対して傾斜していてもよい。しかし、貫通孔１１ｇをその軸方向が配置孔１１ｈの軸方向と平行となるように形成すれば、貫通孔１１ｇの断面積を大きくしやすくなる。そうすると、気体が貫通孔１１ｇを通過する抵抗を小さくできるし浄化部１２を大型化できるので、浄化部１２による浄化機能を高くすることができる。
【００２６】
＜浄化部１２＞
図１および図２に示すように、本体部１１の貫通孔１１ｇ内には、上述した浄化部１２が設けられている。この浄化部１２は、フィルタ部１３と、気流形成部１４と、を備えている。
【００２７】
＜フィルタ部１３＞
まず、フィルタ部１３は、気体中に含まれる粒子状の物質（例えな油滴や組織片等）を捕捉することができるものである。例えば、シート状のフィルタ１３ａ（図４参照）や吸着性を有する粒状体等をフィルタ部１３のフィルタ部材として使用することができる。
【００２８】
なお、フィルタ部１３は、シート状のフィルタ１３ａと粒状体を一方だけ有していてもよいが、両方を使用してもよい。この場合、シート状のフィルタ１３ａによって大きい物質を捕捉し、粒状体によって小さい物質を捕捉するようにすることが望ましい。そうすると、フィルタ部１３による粒子状の物質の捕捉機能を高くしつつ、シート状のフィルタ１３ａを交換するだけで、フィルタ部１３の浄化機能を回復させることが可能となる。
【００２９】
＜気流形成部１４＞
気流形成部１４は、フィルタ部１３を通過する気流、つまり、貫通孔１１ｇを通過する気流を発生させる機能を有するものである。この気流形成部１４は、貫通孔１１ｇの軸方向に沿って、フィルタ部１３、気流形成部１４の順に並ぶように配設されている（図１（Ｂ）参照）。この気流形成部１４は、回転軸１６ａと回転軸１６ａに設けられた羽根部材１６ｂとを有する気流発生部１６と、気流発生部１６の回転軸１６ａを回転させる駆動機構１５と、を備えている。
【００３０】
＜気流発生部１６＞
気流発生部１６は、公知のスクリューやプロペラのように、回転軸１６ａが回転すると、羽根部材１６ｂによって回転軸１６ａの軸方向に沿った気流が発生するように設けられたものである。この気流発生部１６は、回転軸１６ａの中心軸と貫通孔１１ｇの中心軸が一致するように配設されており、貫通孔１１ｇの内面に連結された軸受等によって回転可能に保持されている。
【００３１】
そして、この気流発生部１６は、回転軸１６ａが回転すると、貫通孔１１ｇにおいてフィルタ部１３が設けられた側の端部から他方の端部に向かって気流が発生するように設置されている。つまり、図１では、貫通孔１１ｇの左端部から右端部に向かって（言い換えればフィルタ部１３から気流形成部１４に向かって）流れる気流が発生するように、気流発生部１６は設置されている。
【００３２】
なお、気流発生部１６は、回転軸１６ａが回転した際に、上記と逆方向に（言い換えれば気流形成部１４からフィルタ部１３に向かって）流れる気流が発生するように設置してもよい。しかし、フィルタ部１３から気流形成部１４に向かって流れる気流が発生するようにすれば、粒子状の物質などによる気流形成部１４の汚れを防止できる。また、粒子状の物質などに起因する気流形成部１４の損傷も防止できる。
【００３３】
＜駆動機構１５＞
駆動機構１５は、回転軸１６ａを回転させる駆動力を発生する駆動部１５ａと、この駆動部１５ａによって発生された駆動力を回転軸１６ａに伝達する伝達機構１５ｂと、を有している（図２（Ｃ）参照）。
【００３４】
＜駆動部１５ａ＞
駆動部１５ａは、例えば、モータやゼンマイ等であるが、とくに限定されない。回転軸１６ａを回転させる駆動力を発生させることができるものであればよい。なお、駆動部１５ａを作動停止させる方法はとくに限定されないが、本体部１１の外面などにスイッチを設けてもよいし、外部から無線でＯＮ−ＯＦＦができるようにしてもよい。また、駆動部１５ａは、一旦作動すると停止させる必要が無い場合には、作動を開始するスイッチだけを設けるようにしてもよい。
【００３５】
＜伝達機構１５ｂ＞
伝達機構１５ｂは、駆動部１５ａが発生した駆動力を回転軸１６ａに伝達する機構であればよく、その構成はとくに限定されない。例えば、駆動部１５ａがモータであれば、公知のベルトプーリー機構や公知のギア機構等を採用することができる。例えば、図２（Ｃ）に示すように、回転軸１６ａに設けられたギアｇｒと、駆動部１５ａの主軸に設けられたギアｇｄと、によって伝達機構１５ｂを構成することができる。
【００３６】
なお、駆動機構１５は、各浄化部１２の気流形成部１４にそれぞれ設けてもよいが、一つの駆動機構１５が複数の気流形成部１４の回転軸１６を回転させるようにしてもよい。例えば、駆動機構１５の駆動部１５ａがモータの場合であれば、公知のベルトプーリー機構や公知のギア機構等によって、モータの主軸の回転が複数の回転軸１６に伝達されるようにすることもできる。
【００３７】
また、駆動機構１５としてモータ等を採用した場合には、その主軸（駆動力を外部に供給する軸）を回転軸１６としてもよい（図４参照）。この場合には、モータ等の本体をステー等によって貫通孔１１ｇ内に固定すればよい。この場合には、回転軸１６を回転可能に保持する軸受は設けなくてもよい。
【００３８】
本実施形態の空気浄化機１０は、本体部１１および浄化部１２が以上のような構成であるので、本実施形態の空気浄化機１０を固定部２０によって本体部１１を内視鏡ＥのシャフトＥＳに固定すれば、本実施形態の空気浄化機１０を胃等に供給することができる。
【００３９】
そして、本実施形態の空気浄化機１０を胃内に留置したり器具設置部２５によって胃壁等に固定したりした状態で駆動機構１５の駆動部１５ａを作動させれば、胃内の気体をフィルタ部１３に吸引することができる。
【００４０】
すると、気体に含まれる粒子状の物質はフィルタ部１３によって捕捉され、フィルタ部１３を通過し粒子状の物質が除去された気体が貫通孔１１ｇから排出されて、胃内に戻される。
【００４１】
つまり、本実施形態の空気浄化機１０を胃内で作動させれば、電気メスなどによる処置で胃内に煙が発生した場合でも迅速に胃内の煙を除去できるので、煙が発生しても内視鏡Ｅの視野を維持できる。
【００４２】
しかも、胃内の気体を外部に排出する必要がないので、胃を拡張した状態に維持できるから、胃の萎縮による視野の悪化も発生することがない。
【００４３】
したがって、本実施形態の空気浄化機１０を胃内で作動させれば、内視鏡Ｅによる処置を行った際に視野の悪化を防止できるので、安全な切開・剥離・止血などの処置が可能となる。しかも、視野回復の特別な作業が不要となるから、内視鏡Ｅによる処置を迅速に行うことができるので、術時間が短縮され医療費の削減も可能となる。
【００４４】
＜浄化部１２について＞
上記例では、本体部１１に３カ所の浄化部１２を設ける場合を説明したが、浄化部１２を設ける数は３つに限られず、１つや２つ、または４つ以上設けてもよい。浄化部１２を一つだけ設ける場合には、貫通孔１１ｇを大きくすれば気体を吸引する際の流動抵抗を小さくできるという利点が得られる。
【００４５】
また、浄化部１２として、フィルタ部１３は一つであるが、気流形成部１４を複数有する構成としてもよい。例えば、図４に示すように、本体部１１の端部に、複数の貫通孔１１ｇを全て覆うように一枚のシート状のフィルタ１３ａを配置してフィルタ部１３とする。一方、複数の貫通孔１１ｇにはそれぞれ気流形成部１４を配置する。そうすると、フィルタ部１３は一つであるが、複数の気流形成部１４によってフィルタ１３ａを通過するような気流を発生させることができる。
【００４６】
＜本体部１１について＞
上記例では、本体部１１に配置孔１１ｈを平行な貫通孔１１ｇを設けて、その貫通孔１１ｇ内に浄化部１２を配置する場合を説明した。しかし、浄化部１２を配置する空間は以下のような形状でもよい。つまり、図２（Ｄ）に示すように、本体部１１を、上述した配置孔１１ｈを形成する内壁１１ａと、この内壁１１ａを覆うように設けられた外壁１１ｂと、によって形成する。そして、外壁１１ｂを略円筒状に形成された部材で形成し、外壁１１ｂの内面と内壁１１ａの外面との間に空間１０ｓが形成されるように、内壁１１ａの外面を覆うように外壁１１ｂを設ける。そうすると、空間１０ｓは、本体部１１をその軸方向（配置孔１１ｈの軸方向）に沿って貫通する空間（断面環状の空間）となるので、この空間１０ｓに浄化部１２を配置してもよい。
【００４７】
この場合も、浄化部１２の構成として、フィルタ部１３は一つであるが、気流形成部１４は複数有するようにしてもよい。例えば、空間１０ｓの一方の端部に、粒状物や固形物等のフィルタ部材１３ｂを配置してフィルタ部１３とし、空間１０ｓにおいてフィルタ部材１３ｂよりも他端側の部分に複数の気流形成部１４を配置する。そうすると、フィルタ部１３は一つであるが、複数の気流形成部１４によってフィルタ１３ａを通過するような気流を発生させることができる。
【００４８】
また、本体部１１は、上述したように内視鏡ＥのシャフトＥＳを挿入できる配置孔１１ｈを有していれば、内視鏡ＥのシャフトＥＳに固定して胃内等に挿入することができる。しかし、本体部１１は、必ずしも配置孔１１ｈを備えていなくてもよい。この場合には、浄化部１２を配置する貫通孔１１ｇの断面積を大きくできるので、浄化機能を高くすることができる。
【００４９】
＜固定部２０＞
固定部２０は、内視鏡ＥのシャフトＥＳを本体部１１に固定できる構造となっていればよく、その構造はとくに限定されない。例えば、以下に示すような構造の固定部２０を設けることができる。
【００５０】
図１に示すように、配置孔１１ｈの内面に沿って円環状に形成された中空な部材であって膨張収縮可能に形成された膨張部２１を設ける。この膨張部２１は、例えば、伸縮可能な環状のゴムチューブや、収縮時には折り畳まれ膨張時には伸展するように形成された部材等によって形成することができる。しかも、この膨張部２１を、収縮した状態ではその内径が内視鏡ＥのシャフトＥＳの径と同等程度となり、膨張するとその内径が内視鏡ＥのシャフトＥＳの径よりも小さくなるように形成する。そして、チューブ等によって形成された部材である送気部２２の一端が膨張部２１に連結された構成とする。かかる構成とすれば、送気部２２の他端から加圧気体または液体（以下単に気体等という）を供給すれば、膨張部２１を膨張させることができる。一方、送気部２２の他端から気体を排出すれば、膨張部２１を収縮させることができる。
【００５１】
固定部２０をかかる構成とすれば、膨張部２１を収縮させた状態では配置孔１１ｈに内視鏡ＥのシャフトＥＳを挿入した抜去したりすることができる。
【００５２】
一方、配置孔１１ｈに内視鏡ＥのシャフトＥＳを挿入した状態で送気部２２を通して膨張部２１内に気体等を供給すれば、膨張部２１が膨張し膨張部２１が内視鏡ＥのシャフトＥＳを締め付ける。そうすると、膨張部２１が内視鏡ＥのシャフトＥＳに固定されるので、膨張部２１が設けられている本体部１１の内壁１１ａ、つまり、器具保持具１０を内視鏡ＥのシャフトＥＳに固定することができる。
【００５３】
なお、膨張部２１または送気部２２に逆止弁等を設けてもよい。この場合、膨張部２１内に気体等を供給すれば、膨張部２１から気体等が抜けることを防止できるので、配置孔１１ｈに内視鏡ＥのシャフトＥＳを安定して固定できる。この場合、配置孔１１ｈから内視鏡ＥのシャフトＥＳを抜去する場合には、針、鉗子、メスなどで膨張部２１に孔を開けたり破ったりして膨張部２１から気体等を抜くようにすればよい。
【００５４】
＜本実施形態の空気浄化機１０の胃内への配置方法＞
上述したような固定部２０と器具設置部２５を有する場合には、本実施形態の空気浄化機１０は、以下の方法で胃内への配置することができる。
【００５５】
まず、空気浄化機１０の本体部１１の配置孔１１ｈに内視鏡ＥのシャフトＥＳに挿入する。ついで、固定部２０の送気部２２を通して気体等を膨張部２１に供給する。そうすると、膨張部２１が膨張するので、内視鏡ＥのシャフトＥＳに空気浄化機１０の本体部１１が固定される。
【００５６】
空気浄化機１０の本体部１１が内視鏡ＥのシャフトＥＳに固定されると、その内視鏡ＥのシャフトＥＳを、患者の口から消化管腔等を通して胃ＳＴの内部に挿入する（図３（Ａ））。空気浄化機１０の本体部１１が胃ＳＴの内部に配置されると、膨張部２１内の気体等を抜いて膨張部２１を収縮させる。そして、内視鏡ＥのシャフトＥＳが空気浄化機１０に対して移動できるようにする。
【００５７】
ついで、空気浄化機１０の本体部１１をクリップＣ等によって胃ＳＴに固定する。例えば、図３（Ｂ）に示すように、まず、空気浄化機１０の本体部１１の先端側に位置する器具設置部２５にクリップＣ等を引っ掛けて、そのままクリップＣを胃ＳＴに固定する。そうすると、先端側の器具設置部２５が胃ＳＴに固定される。ついで、内視鏡ＥのシャフトＥＳを本体部１１から抜いた後、後端側に位置する器具設置部２５にクリップＣ等を引っ掛けて、そのままクリップＣを胃ＳＴに固定する。そうすると、空気浄化機１０は２つの器具設置部２５によって胃ＳＴに吊り下げられた状態となるので、空気浄化機１０は胃ＳＴに固定される（図３（Ｃ）参照）。
【００５８】
空気浄化機１０の取り出す場合には、例えば、器具設置部２５を切断するなどの方法によって、空気浄化機１０を胃ＳＴから取り外す。
【００５９】
最後に、鉗子によって器具設置部２５を保持して、その状態で内視鏡のシャフトＥＳを抜去すれば、空気浄化機１０を胃から取り出すことができる。
【産業上の利用可能性】
【００６０】
本発明の空気浄化機は、生体内における治療や手術の際において、生体内の気体を浄化する器具として適している。
【符号の説明】
【００６１】
１０      空気浄化機
１１      本体部
１１ｈ    配置孔
１１ｇ    貫通孔
１２      浄化部
１３      フィルタ部
１４      気流形成部
１５      駆動機構
１６      気流発生部
１６ａ    回転軸
１６ｂ    羽根部材
２０      固定部
２１      膨張部
２２      送気部
Ｅ      内視鏡
ＥＳ      シャフト
【図１】
2020000474.tif 000003
【図２】
2020000474.tif 000004
【図３】
2020000474.tif 000005
【図４】
2020000474.tif 000006